(57)【特許請求の範囲】
【請求項１】
装着者の背中に当てがわれて背筋に沿って上下方向に延在可能で、該背中に沿って撓むことは可能であるが実質上非伸縮性の背当て板状部材と、
前記背当て板状部材に上下方向における高さ位置調整可能に外嵌され、前記背中に沿って撓むことは可能であるが全体として実質上非伸縮性の偏平筒状部材と、
上端部が前記背当て板状部材の上端部にそれぞれ連結されるとともに下端部が前記偏平筒状部材の左右端部にそれぞれ連結された伸縮性を有する左右一対の肩掛けベルトと、
前記背当て板状部材の下端部に接続された伸縮性を有する、装着者の胴部にまわし装着可能の胴部ベルトと、
を備えていることを特徴とする背筋矯正具。
【請求項２】
前記背当て板状部材及び前記偏平筒状部材はそれぞれ通気性を有している請求項１記載の背筋矯正具。
【請求項３】
前記背当て板状部材は網目構造の通気性及び前記の可撓性を有する、実質上非伸縮性の部材である請求項２記載の背筋矯正具。
【請求項４】
前記偏平筒状部材は、前記背当て板状部材の内側に配置された網目構造の通気性及び装着者の背中に沿って撓むことができる可撓性を有する、実質上非伸縮性の内側板状部材と、前記背当て板状部材の外側に配置された通気性を有する外側カバー部材とを含んでおり、該内側板状部材及び外側カバー部材の左右端部同士が前記背当て板状部材の左右外側でそれぞれ連結されて構成されている請求項２又は３記載の背筋矯正具。
【請求項５】
前記外側カバー部材は前記内側板状部材の撓みに応じて上下方向に伸縮可能の部材である請求項４記載の背筋矯正具。
【請求項６】
前記胴部ベルトは前記背当て板状部材の下端部右端部に一端部が連結され、自由他端部にファスナ部を有する右ベルトと、前記背当て板状部材の下端部左端部に一端部が連結され、自由他端部に前記ファスナ部と連結可能のファスナ部を有する左ベルトとからなっている請求項１から５のいずれかに記載の背筋矯正具。
【発明の詳細な説明】
【０００１】
【発明の属する技術分野】
本発明は人体の背筋（せすじ）を正しく伸ばすように矯正する背筋矯正具に関する。
【０００２】
【発明の背景】
人体の背筋（せすじ）を正しく伸ばすように矯正する矯正具としてはいくつかのものが提案されているが、それらは、概ね背筋を正しい姿勢に固定しようとするものであり、例えば伸縮性がなく、可撓性も無いに等しい帯板状部材を背中に当てがって背筋を正しい姿勢に固定しようとするものであり、これを着用したまま仕事をしたり、日常生活したりするには身体動作の自由度が著しく制限され、極めて窮屈であり、疲れやすいといった問題があった。また、人体への着脱が面倒な構造のものが多く、気軽に使用しにくいという問題もあった。
【０００３】
【発明が解決しようとする課題】
本発明は着脱が容易で気軽に着用でき、また、伸縮性、可撓性のない板状部材を背中に当てがう等して背筋を固定してしまうタイプの矯正具に比べると身体動作の自由度が大きく、着用したまま窮屈感少なく仕事したり、日常生活しやすく、しかも背筋矯正、特に背中が猫背のように丸まってしまう悪い姿勢を背筋が正しく伸びた姿勢に矯正することができる背筋矯正具を提供することを課題とする。
【０００４】
【課題を解決するための手段】
本発明は前記課題を解決するため、
装着者の背中に当てがわれて背筋に沿って上下方向に延在可能で、該背中に沿って撓むことは可能であるが実質上非伸縮性の背当て板状部材と、
前記背当て板状部材に上下方向における高さ位置調整可能に外嵌され、前記背中に沿って撓むことは可能であるが全体として実質上非伸縮性の偏平筒状部材と、
上端部が前記背当て板状部材の上端部にそれぞれ連結されるとともに下端部が前記偏平筒状部材の左右端部にそれぞれ連結された伸縮性を有する左右一対の肩掛けベルトと、
前記背当て板状部材の下端部に接続された伸縮性を有する、装着者の胴部にまわし装着可能の胴部ベルトと、
を備えている背筋矯正具を提供する。
【０００５】
この背筋矯正具は、これを着用しようとする者が、背筋を正しく伸ばして左右肩掛けベルトを左右の肩に掛けるとともに胴部ベルトを胴部にまわし装着するだけで使用できる。外すときは、胴部ベルトを外し、左右肩掛けベルトを両肩から外すだけでよい。従って、人体に対する着脱が容易であり、気軽に着用できる。
【０００６】
背筋を正しく伸ばして左右肩掛けベルトを左右の肩に掛けるとともに胴部ベルトを胴部にまわし止め装着した状態では、伸縮性を有する左右の肩掛けベルト及び胴部ベルトが装着者の肩部及び胴部に密着して装着される。
【０００７】
そして肩掛けベルトが連結されている背当て板状部材が実質上非伸縮性で伸縮による変形を起こし難いとともに肩掛けベルトの下端部が連結されている偏平筒状部材は背当て板状部材の内側に位置する部分が該背当て板状部材と装着者との間に挟まれて位置ずれし難く、また該偏平筒状部材は全体として実質上非伸縮性であるから変形もし難いことにより、肩掛けベルトの前記密着装着状態は略そのまま、ずれが抑制された状態で維持される。胴部ベルトについても装着者の胴部にまわし装着されるので前記密着装着状態は略そのまま、ずれが抑制された状態で維持され得る。
【０００８】
かくして背当て板状部材が、装着者の背中に当てがわれて背筋に沿って上下方向に長く延び、上端部が左右肩に掛けられた左右肩掛けベルトに支持される一方、下端部が装着者の胴部に装着された胴部ベルトに支持される。かくして背当て板状部材は位置ずれや変形を起こし難い状態となる。
【０００９】
この状態で着用者が猫背姿勢になるなど背中を丸めてしまうような悪い姿勢をとろうとすると、上下端部で支持された、実質上伸縮性のない背当て板状部材がこれに抵抗し、かかる悪い姿勢に移ろうとすることが抑止され、また、仮に悪い姿勢に移ってしまったときは、背当て板状部材に大きい張力が加わり、これがため人体に大きい負荷がかかるので、装着者は自然と背筋を伸ばした正しい姿勢に戻ろうとする。このようにして背筋が伸びた正しい姿勢に矯正される。
【００１０】
背当て板状部材及び偏平筒状部材はそれぞれ前記の可撓性を有しているので、装着者の動作に若干の自由度が残されており、装着者が背筋を伸ばした正しい姿勢から丸まって崩れようとするとき若干撓むことができる。従って、いたずらに姿勢の崩れに抗して装着者に極度の窮屈感、不快感を招くことがなく、着用したまま窮屈感少なく仕事したり、日常生活しやすい。
【００１１】
なお、前記の「実質上非伸縮性」には、伸縮性がないとは言えないが、本発明の課題を解決し、効果を達成し得るとの観点からすれば、伸縮性がないとみなしてもよい場合が含まれる。
【００１２】
前記の偏平筒状部材は背当て板状部材に対し上下位置調整可能であるから、装着者の体格に応じて、背当て板状部材における上下方向での位置を調節することができる。また、同じ装着者について、上下位置を調節することで肩掛けベルトに加わる張力、ひいては背当て板状部材の上下方向の張り具合を調整し、それにより背当て板状部材による矯正作用の強弱を調整することも可能である。
【００１３】
前記背当て板状部材及び前記偏平筒状部材は、これらの長時間の装着においても人体からの発汗等による蒸れ等の不快感の発生が抑制されるように、それぞれ通気性を有していることが望ましい。
【００１４】
例えば前記背当て板状部材は網目構造の通気性及び前記の可撓性を有する、実質上非伸縮性の部材とすることができる。
【００１５】
また、偏平筒状部材として、背当て板状部材の内側に配置された網目構造の通気性及び装着者の背中に沿って撓むことができる可撓性を有する、実質上非伸縮性の内側板状部材と、背当て板状部材の外側に配置された通気性を有する外側カバー部材とを含んでおり、該内側板状部材及び外側カバー部材の左右端部同士が前記背当て板状部材の左右外側でそれぞれ連結されて構成されているものを例示できる。
【００１６】
この偏平筒状部材における外側カバー部材は内側板状部材の前記の撓みに応じて上下方向に伸縮可能の部材であってもよい。外側カバー部材がこのように伸縮性を有していても内側板状部材は実質上非伸縮性であるので、偏平筒状部材全体としては実質上非伸縮性を維持する。
【００１７】
前記胴部ベルトとしては、背当て板状部材の下端部右端部に一端部が連結され、自由他端部にファスナ部を有する右ベルトと、背当て板状部材の下端部左端部に一端部が連結され、自由他端部に前記ファスナ部と連結可能のファスナ部を有する左ベルトとからなっているものを例示できる。
【００１８】
胴部ベルトにおける胴部への装着のためのベルトファスナ（前記の例では左右ベルトを連結するファスナ）は、それには限定されないが、装着者の体格に応じて胴部ベルト装着状態におけるベルトの胴まわり長さ（換言すればベルト締めつけ位置）を容易に調節できるように、所謂面状ファスナであることが望ましい。該面状ファスナとは、ベルトの互いに接続されるファスナ部のうち一方が多数のフックを平面的に分散立設したファスナ部であり、他方が該フックが係合脱離可能の多数のループを平面的に分散させて設けたファスナ部であるファスナである。
【００１９】
【発明の実施の形態】
以下本発明の実施の形態について図面を参照して説明する。
【００２０】
図１は本発明に係る背筋矯正具の一例Ａを正面から見た図である。
【００２１】
図２は図１に示す背筋矯正具Ａを装着者Ｂが装着した状態を示す図であり、図２（Ａ）はその状態を略背面から見た図であり、図２（Ｂ）はその状態を正面から見た図である。
【００２２】
図１及び図２に示す背筋矯正具Ａは、背当て板状部材１０と、偏平筒状部材２０と、左右一対の肩掛けベルト３０ａ、３０ｂと、左右一対の胴部ベルト４０ａ、４０ｂとを含んでいる。
【００２３】
背当て板状部材１０は、ここでは合成樹脂製の太めの糸１１を編成してなる網目構造の通気性及び可撓性を有する板状部材であり、周辺は布で縁どりしてある。この背当て板状部材１０は、矯正具Ａの装着者Ｂの肩部から胴部まで上下方向（図中Ｘ方向）に長く延在可能の丈Ｈを有し（図２参照）、左右幅は上端部では装着者Ｂの左右肩に亘る幅Ｗ１を有し、それより下方部分ではやや狭く略幅Ｗ２で下端まで延びており、装着者Ｂの背中に沿って撓むことは可能であるが実質上非伸縮性の部材である。
【００２４】
偏平筒状部材２０は、内側板状部材２１と外側カバー部材２２とを含んでいる。
【００２５】
内側板状部材２１は、背当て板状部材１０の内側に配置された網目構造の通気性及び装着者Ｂの背中に沿って撓むことができる可撓性を有する、実質上非伸縮性の部材であり、ここでは背当て板状部材１０の材料と同様の材料、すなわち合成樹脂製の糸１１を同様に編成してなる概ね横長八角形状の板状部材であり、周辺は布で縁どりしてある。外側カバー部材２２は、背当て板状部材１０の外側に配置された通気性を有する長方形状の部材である。
【００２６】
偏平筒状部材２０は、内側板状部材２１及び外側カバー部材２２の左右端部（２１ａと２２ａ）、（２１ｂと２２ｂ）同士が背当て板状部材１０の左右外側でそれぞれ連結されて構成されており、板状部材１０に上下方向Ｘにおける高さ位置調整可能に外嵌され、装着者Ｂの背中に沿って撓むことは可能であるが全体として実質上非伸縮性の部材である。
【００２７】
外側カバー部材２２は、ここでは内側板状部材２１の前記の撓みに応じて上下方向Ｘに伸縮可能の部材であり、図３に一部を拡大して示すように該上下方向Ｘに平行に左右方向（図中Ｙ方向）にわたって並び、それぞれがＸ方向に伸縮する複数の帯状部材９１と、Ｙ方向に平行にＸ方向にわたって並び、前記複数の帯状部材９１を所定間隔で連結する実質上非伸縮性の合成樹脂製の糸９２を含んでいる。外側カバー部材２２がこのように伸縮性を有していても、内側板状部材２１は実質上非伸縮性であるので、偏平筒状部材全体としては実質上非伸縮性を維持する。
【００２８】
肩掛けベルト３０ａ、３０ｂは、それぞれ伸縮性を有している。右ベルト３０ａ及び左ベルト３０ｂは、ここではいずれもベルト長手方向に伸縮し、且つ、ベルト短手方向には略伸縮しないゴム状様弾性を有する帯状の部材からなっている。
【００２９】
ベルト３０ａ、３０ｂはその上端部３１ａ、３１ｂが背当て板状部材１０の上端部左右端部１０ａ、１０ｂにそれぞれ連結されるとともに下端部３２ａ、３２ｂが偏平筒状部材２０の左右端部、より正確にはここでは内側板状部材２１の端部２１ａ、２１ｂにそれぞれ連結されている。
【００３０】
胴部ベルト４０ａ、４０ｂは装着者Ｂの胴部にまわし装着可能であり、ここではそれぞれ伸縮性を有している。
【００３１】
左右ベルト４０ａ、４０ｂは、ここではいずれも前記の偏平筒状部材２０における外側カバー部材２２と同様の材料、すなわちベルト長手方向に平行にベルト短手方向（上下方向）にわたって並び、それぞれが該長手方向に伸縮する複数の帯状部材９１と、該短手方向に平行に該長手方向にわたって並び、該複数の帯状部材９１を所定間隔で連結する実質上非伸縮性の合成樹脂製の糸９２を含んでいる。
【００３２】
右ベルト４０ａは背当て板状部材１０の下端部右端部１０ｃに一端部４１ａが連結され、自由他端部４２ａの内面にファスナ部４３ａを有している。左ベルト４０ｂは背当て板状部材１０の下端部左端部１０ｄに一端部４１ｂが連結され、自由他端部４２ｂの外面にファスナ部４３ａと連結可能のファスナ部４３ｂを有している。
【００３３】
ファスナ部４３ａ、４３ｂは、胴部への装着のための左右ベルト４０ａ、４０ｂを連結できるとともに装着者Ｂの体格に応じて胴部ベルト装着状態におけるベルトの胴まわり長さ（換言すれば左右ベルト接続位置）を容易に調節できるものであり、ここでは、ベルト４０ａ、４０ｂの互いに接続されるファスナ部４３ａ、４３ｂのうち一方４３ａが多数のフックを平面的に分散立設したファスナ部であり、他方４３ｂが該フックが係合脱離可能の多数のループを平面的に分散させて設けたファスナ部である。すなわちこれらファスナ部４３ａ、４３ｂは所謂面状ファスナを構成する。
【００３４】
この背筋矯正具Ａは、これを着用しようとする者Ｂが、背筋を正しく伸ばして左右肩掛けベルト３０ａ、３０ｂを左右の肩に掛けるとともに左右胴部ベルト４０ａ、４０ｂを胴部にまわし装着するだけで使用できる。外すときは、胴部ベルト４０ａ、４０ｂを外し、左右肩掛けベルト３０ａ、３０ｂを両肩から外すだけでよい。従って、人体に対する着脱が容易であり、気軽に着用できる。
【００３５】
背筋を正しく伸ばして左右肩掛けベルト３０ａ、３０ｂを左右の肩に掛けるとともに胴部ベルト４０ａ、４０ｂを胴部にまわし止め装着した状態では、伸縮性を有する左右の肩掛けベルト３０ａ、３０ｂ及び胴部ベルト４０ａ、４０ｂが装着者Ｂの肩部及び胴部に密着して装着される。そして肩掛けベルト３０ａ、３０ｂが連結されている背当て板状部材１０が実質上非伸縮性で伸縮による変形を起こし難いとともに肩掛けベルト３０ａ、３０ｂの下端部３２ａ、３２ｂが連結されている偏平筒状部材２０は背当て板状部材１０の内側に位置する部分２１が背当て板状部材１０と装着者Ｂとの間に挟まれて位置ずれし難く、また偏平筒状部材２０は全体として実質上非伸縮性であるから変形もし難いことにより、肩掛けベルト３０ａ、３０ｂの前記密着装着状態は略そのまま、ずれが抑制された状態で維持される。また、胴部ベルト４０ａ、４０ｂについても装着者Ｂの胴部にまわし装着され、その密着装着状態は略そのまま、ずれが抑制された状態で維持され得る。
【００３６】
かくして背当て板状部材１０が、装着者Ｂの背中に当てがわれて背筋に沿って上下方向Ｘに長く延び、上端部１０ａ、１０ｂが左右肩に掛けられた左右肩掛けベルト３０ａ、３０ｂに支持される一方、下端部１０ｃ、１０ｄが装着者Ｂの胴部に装着された胴部ベルト４０ａ、４０ｂに支持される。かくして背当て板状部材１０は位置ずれや変形を起こし難い状態となる。
【００３７】
この状態で着用者Ｂが猫背姿勢になるなど背中を丸めてしまうような悪い姿勢をとろうとすると、板状部材１０の上下端部１０ａ〜１０ｄで支持された、実質上伸縮性のない背当て板状部材１０がこれに抵抗し、かかる悪い姿勢に移ろうとすることが抑止され、また、仮に悪い姿勢に移ってしまったときは、背当て板状部材１０に大きい張力が加わり、これがため人体に大きい負荷がかかるので、装着者Ｂは自然と背筋を伸ばした正しい姿勢に戻ろうとする。このようにして背筋が伸びた正しい姿勢に矯正される。
【００３８】
背当て板状部材１０及び偏平筒状部材２０はそれぞれ可撓性を有しているので、装着者Ｂの動作に若干の自由度が残されており、装着者Ｂが背筋を伸ばした正しい姿勢から丸まって崩れようとするとき撓むことができる。従って、いたずらに姿勢の崩れに抗して装着者Ｂに極度の窮屈感、不快感を招くことがなく、着用したまま窮屈感少なく仕事したり、日常生活しやすい。
【００３９】
また、偏平筒状部材２０は背当て板状部材１０に対し上下位置調整可能であるから、装着者Ｂの体格に応じて、背当て板状部材１０における上下方向Ｘでの位置を調節することができる。また、同じ装着者Ｂについて、上下位置を調節することで肩掛けベルト３０ａ、３０ｂに加わる張力、ひいては背当て板状部材１０の上下方向Ｘの張り具合を調整し、それにより背当て板状部材１０による矯正作用の強弱を調整することも可能である。
【００４０】
さらに、背当て板状部材１０及び偏平筒状部材２０は、それぞれ通気性を有しているので、これらの長時間の装着においても人体からの発汗等による蒸れ等の不快感の発生が抑制される。
【００４１】
【発明の効果】
以上説明したように本発明によると、着脱が容易で気軽に着用でき、また、伸縮性、可撓性のない板状部材を背中に当てがう等して背筋を固定してしまうタイプの矯正具に比べると身体動作の自由度が大きく、着用したまま窮屈感少なく仕事したり、日常生活しやすく、しかも背筋矯正、特に背中が猫背のように丸まってしまう悪い姿勢を背筋が正しく伸びた姿勢に矯正することができる背筋矯正具を提供することができる。
【図面の簡単な説明】
【図１】本発明に係る背筋矯正具の一例の正面図である。
【図２】図１に示す背筋矯正具を装着者が装着した状態を示す図であり、図（Ａ）はその状態を略背面から見た図であり、図（Ｂ）はその状態を正面から見た図である。
【図３】偏平筒状部材の外側カバー部材の一部拡大図である。
【符号の説明】
１０  背当て板状部材
１０ａ、１０ｂ  背当て板状部材１０の上端部左右端部
１０ｃ、１０ｄ  背当て板状部材１０の下端部左右端部
１１  合成樹脂製の糸
２０  偏平筒状部材
２１  内側板状部材
２１ａ、２１ｂ  内側板状部材２１の左右端部
２２  外側カバー部材
２２ａ、２２ｂ  外側カバー部材２２の左右端部
３０ａ  右側の肩掛けベルト
３０ｂ  左側の肩掛けベルト
３１ａ、３１ｂ  ベルト３０ａ、３０ｂの上端部
３２ａ、３２ｂ  ベルト３０ａ、３０ｂの下端部
４０ａ  右側の胴部ベルト
４０ｂ  左側の胴部ベルト
４１ａ  右ベルト４０ａの一端部
４２ａ  右ベルト４０ａの自由他端部
４１ｂ  左ベルト４０ｂの一端部
４２ｂ  左ベルト４０ｂの自由他端部
４３ａ、４３ｂ  ファスナ部
９１  帯状部材
９２  合成樹脂製の糸
Ａ  背筋矯正具
Ｂ  背筋矯正具Ａの装着者
Ｈ  背当て板状部材１０の丈
Ｗ１  背当て板状部材１０の上端部の左右幅
Ｗ２  背当て板状部材１０の上端部より下方部分の幅
【図１】
0004472215.tif 000002
【図２】
0004472215.tif 000003
【図３】
0004472215.tif 000004